(57)【要約】【課題】製造原価を下げることができ、また外観上左右対称をなすことができる液晶表示装置を提供する。【解決手段】短辺と長辺を有する液晶パネルと、前記液晶パネルの短辺と実質的に平行である方向に延長されるゲート配線と、前記ゲート配線と絶縁されて交差して前記液晶パネルの長辺と実質的に平行である方向に延長されるデータ配線と、前記液晶パネルの長辺と隣接するように配置され前記液晶パネルに画像信号を提供する第１印刷回路基板と、前記画像信号を提供するために前記データ配線と前記第１印刷回路基板とを電気的に接続する回路フィルムとを有する。【選択図】      図１
2010191432.tif 000002
【特許請求の範囲】
【請求項１】
短辺と長辺を有する液晶パネルと、
前記液晶パネルの短辺と実質的に平行である方向に延長されるゲート配線と、
前記ゲート配線と絶縁されて交差して前記液晶パネルの長辺と実質的に平行である方向に延長されるデータ配線と、
前記液晶パネルの長辺と隣接するように配置され前記液晶パネルに画像信号を提供する第１印刷回路基板と、
前記画像信号を提供するために前記データ配線と前記第１印刷回路基板とを電気的に接続する回路フィルムとを有することを特徴とする液晶表示装置。
【請求項２】
前記回路フィルムは、前記液晶パネルの短辺に沿って延長され前記液晶パネルの下部に配置され、
前記第１印刷回路基板は、前記第１印刷回路基板の背面に配置されたコネクタをさらに含み、
前記回路フィルムの第１端部は、前記液晶パネルの短辺と接続され、前記回路フィルムの第２端部は、前記コネクタを通じて前記第１印刷回路基板に接続されることを特徴とする請求項１に記載の液晶表示装置。
【請求項３】
前記回路フィルムの第１端部は、前記液晶パネルの前記短辺の中央部分と接続されることを特徴とする請求項２に記載の液晶表示装置。
【請求項４】
前記回路フィルムの第１端部は、前記液晶パネルの前記短辺の中央部分より前記第１印刷回路基板が配置された方に近い前記短辺の所定部分と接続されることを特徴とする請求項２に記載の液晶表示装置。
【請求項５】
前記液晶パネルは、前記回路フィルムが接続される前記液晶パネルの短辺に隣接した前記液晶パネルの一側端部に形成されたＣＯＧ（Ｃｈｉｐ−Ｏｎ−Ｇｌａｓｓ）形態の駆動ＩＣをさらに含み、
前記液晶パネルは、前記駆動ＩＣから前記液晶パネルの長辺に前記第１印刷回路基板に向かって延長される配線をさらに含み、
前記回路フィルムの第１端部は、前記配線が延長される前記長辺と接続され、前記回路フィルムの第２端部は、前記第１印刷回路基板に接続されることを特徴とする請求項２に記載の液晶表示装置。
【請求項６】
短辺と長辺を有する液晶パネルと、
前記液晶パネルの短辺と実質的に平行である方向に延長されるゲート配線と、
前記ゲート配線と絶縁されて交差して前記液晶パネルの長辺と実質的に平行である方向に延長されるデータ配線と、
前記液晶パネルの長辺と隣接するように配置され前記液晶パネルに画像信号を提供する第１印刷回路基板と、
前記画像信号を提供するために前記データ配線と前記第１印刷回路基板とを電気的に接続する第１回路フィルムと、
前記液晶パネルの下部に配置される導光板と、
前記導光板に光を供給する光源とを有することを特徴とする液晶表示装置。
【請求項７】
前記第１回路フィルムの第１端部は、前記液晶パネルの短辺と接続され、前記第１回路フィルムの第２端部は、前記第１印刷回路基板と接続され、
前記第１回路フィルムの第１端部部分は、前記導光板の背面に向かって延長され、その後折り曲げられて前記液晶パネルの短辺に沿って延長され、前記導光板の下部に配置され、
前記第１印刷回路基板は、前記第１印刷回路基板の背面に配置されるコネクタをさらに含み、
前記第１回路フィルムの第２端部は、前記コネクタを通じて前記第１印刷回路基板と接続されることを特徴とする請求項６に記載の液晶表示装置。
【請求項８】
前記第１回路フィルムの第１端部は、前記液晶パネルの前記短辺の中央部分と接続されることを特徴とする請求項７に記載の液晶表示装置。
【請求項９】
前記第１回路フィルムの第１端部は、前記液晶パネルの前記短辺の中央部分より前記第１印刷回路基板が配置された方に近い前記短辺の所定部分と接続されることを特徴とする請求項７に記載の液晶表示装置。
【請求項１０】
前記光源は、点光源が実装される第２印刷回路基板と、
前記第２印刷回路基板と前記第１印刷回路基板とを電気的に接続する第２回路フィルムとを含み、
前記第２印刷回路基板は、前記点光源が、前記第１回路フィルムが接続された前記液晶パネルの短辺に隣接した側面を除いた前記導光板の一側面に向かうように配置され、
前記第１回路フィルムと前記第２回路フィルムは、互いに離隔して配置されることを特徴とする請求項６に記載の液晶表示装置。
【発明の詳細な説明】
【技術分野】
【０００１】
本発明は、液晶表示装置に関し、より詳細には、製造原価を下げることができ、また外観上左右対称をなすことができる液晶表示装置に関するものである。
【背景技術】
【０００２】
液晶表示装置（Ｌｉｑｕｉｄ  Ｃｒｙｓｔａｌ  Ｄｉｓｐｌａｙ）は、現在最も広く使われているフラットパネル表示装置（Ｆｌａｔ  Ｐａｎｅｌ  Ｄｉｓｐｌａｙ）の一つであって、電極が形成されている２枚の基板とその間に挿入されている液晶層からなり、電極に電圧を印加して液晶層の液晶分子を再配列させることによって透過する光の量を調節する表示装置である。
【０００３】
従来の液晶表示装置において、データ駆動部はゲート駆動部に比べて製造原価が高く、データ駆動部を構成する薄膜トランジスタ（ＴＦＴ）は高い移動度（ｍｏｂｉｌｉｔｙ）が要求されており、データ駆動部を絶縁基板上に直接、集積回路（ｉｎｔｅｇｒａｔｅｄ  ｃｉｒｃｕｉｔ）で形成しにくい。また、データ駆動部に接続されたデータ配線の数が増加するほど多くのデータ駆動部を使用するようになって液晶表示装置の製造原価は急激に上昇してくるという問題がある。したがって、製造原価を低くするためにデータ駆動部の個数及び／又はデータ配線の数を減少させることができる液晶表示装置の開発が要求されている。
【先行技術文献】
【特許文献】
【０００４】
【特許文献１】韓国特許出願公開第２００６−０７６５９１号明細書
【発明の概要】
【発明が解決しようとする課題】
【０００５】
そこで、本発明は上記従来の液晶表示装置における問題点に鑑みてなされたものであって、本発明の目的は、製造原価を下げることができ、また外観上左右対称をなすことができる液晶表示装置を提供することにある。
【課題を解決するための手段】
【０００６】
上記目的を達成するためになされた本発明による液晶表示装置は、短辺と長辺を有する液晶パネルと、前記液晶パネルの短辺と実質的に平行である方向に延長されるゲート配線と、前記ゲート配線と絶縁されて交差して前記液晶パネルの長辺と実質的に平行である方向に延長されるデータ配線と、前記液晶パネルの長辺と隣接するように配置され前記液晶パネルに画像信号を提供する第１印刷回路基板と、前記画像信号を提供するために前記データ配線と前記第１印刷回路基板とを電気的に接続する回路フィルムとを有することを特徴とする。
【０００７】
また、上記目的を達成するためになされた本発明による液晶表示装置は、短辺と長辺を有する液晶パネルと、前記液晶パネルの短辺と実質的に平行である方向に延長されるゲート配線と、前記ゲート配線と絶縁されて交差して前記液晶パネルの長辺と実質的に平行である方向に延長されるデータ配線と、前記液晶パネルの長辺と隣接するように配置され前記液晶パネルに画像信号を提供する第１印刷回路基板と、前記画像信号を提供するために前記データ配線と前記第１印刷回路基板とを電気的に接続する第１回路フィルムと、前記液晶パネルの下部に配置される導光板と、前記導光板に光を供給する光源とを有することを特徴とする。
【発明の効果】
【０００８】
本発明に係る液晶表示装置によれば、データ駆動部であるチップフィルムパッケージを液晶パネルの左側短辺に配置して下部表示板に形成された各データ配線に接続しデータ駆動信号を提供するような構成をとることにより製造原価を下げることができ、また、外観上左右対称をなすことができるという効果がある。
【図面の簡単な説明】
【０００９】
【図１】本発明の第１の実施形態による液晶表示装置の正面図である。
【図２】図１に示す液晶表示装置の背面図である。
【図３】図２に示す液晶表示装置の背面の変形例である。
【図４】図１に示す液晶表示装置の分解斜視図である。
【図５】図４に示す液晶パネルの概略的な平面図である。
【図６】図５に示す液晶パネルを構成するピクセルアレイの配置図である。
【図７】図６に示すピクセルアレイの等価回路図である。
【図８】図１に示す第１印刷回路基板とチップフィルムパッケージとの結合関係を示す斜視図である。
【図９】図８に示すチップフィルムパッケージの斜視図である。
【図１０】図１に示すチップフィルムパッケージと液晶パネルとの結合関係を示す斜視図である。
【図１１】本発明の第２の実施形態による液晶表示装置の正面図である。
【図１２】本発明の第３の実施形態による液晶表示装置の正面図である。
【図１３】図１２に示す液晶表示装置の背面図である。
【図１４】本発明の第４の実施形態による液晶表示装置の正面図である。
【図１５】図１４に示す液晶表示装置の背面図である。
【図１６】本発明の第５の実施形態による液晶表示装置の正面図である。
【図１７】図１６に示す液晶表示装置の背面図である。
【図１８】本発明の第６実施形態による液晶表示装置の正面図である。
【図１９】図１８に示す液晶表示装置の背面図である。
【図２０】本発明の第７の実施形態による表示装置セットの分解斜視図である。
【発明を実施するための最良の形態】
【００１０】
次に、本発明に係る液晶表示装置を実施するための形態の具体例を図面を参照しながら説明する。
【００１１】
本発明の利点、特徴、およびそれらを達成する方法は添付した図面と共に詳細に後述する実施形態を参照すると明確になるであろう。しかし、本発明は、以下で開示される実施形態に限定されるものではなく、互いに異なる多様な形態で具現されるものであり、本実施形態は、単に本発明の開示が完全になるように、本発明が属する技術分野で通常の知識を有する者に発明の範疇を完全に知らせるために提供されるものであり、本発明は請求項の範囲によってのみ定義される。図面で層及び領域のサイズ及び相対的なサイズは説明を明瞭にするため誇張されたものであり得る。
【００１２】
素子（ｅｌｅｍｅｎｔｓ）または層が、異なる素子または層の「上（ｏｎ）」と指称されるものは、他の素子あるいは層の真上だけでなく、中間に他の層または他の素子を介在した場合をすべて含む。これに対し、一つの素子が他の素子と「直接上（ｄｉｒｅｃｔｌｙ  ｏｎ）」とまたは「真上」と指称されるものは中間に他の素子または層を介在しないものを示す。「および／または」は、言及されたアイテムの各々および一つ以上のすべての組合せを含む。
【００１３】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示されているように、一つの素子または構成要素と異なる素子または構成要素との相関関係を容易に記述するために使用されてもよい。空間的に相対的な用語は、図面に示されている方向に加えて、使用時または動作時における素子の互いに異なる方向を含む用語として理解されなければならない。明細書全体において、同一の参照符号は同一の構成要素を指す。
【００１４】
本明細書で記述する実施形態は、本発明の理想的な実施形態の概略的な断面図を参考にして説明する。したがって、製造技術または許容誤差などによって、例示図の形態は変形されてもよい。したがって、本発明の実施形態は、図示された特定形態に制限されるものではなく、製造工程によって生成される形態の変化も含むものである。したがって、図面に例示された領域は概略的な属性を有し、図面に例示された領域の形態は素子の領域の特定形態を例示するためのものであり、発明の範疇を制限するためのものではない。
【００１５】
次に、図１〜図６を参照して本発明の第１の実施形態による液晶表示装置を詳細に説明する。
【００１６】
図１は、本発明の第１の実施形態による液晶表示装置の正面図であり、図２は、図１に示す液晶表示装置の背面図であり、図３は、図２に示す液晶表示装置の背面の変形例であり、図４は、図１に示す液晶表示装置の分解斜視図である。
【００１７】
図１から図４を参照すると、本発明の第１の実施形態による液晶表示装置１００は全体から見て、液晶パネルアセンブリ１２０、バックライトアセンブリ１９０、及び上部収納容器１１０を含む。
また、液晶パネルアセンブリ１２０は、液晶パネル１２３、チップフィルムパッケージ１２６、および第１印刷回路基板１２８などを含む。
【００１８】
液晶パネル１２３は、ゲート配線、データ配線、薄膜トランジスタアレイ、及び画素電極などを含む下部表示板１２２と、下部表示板１２２に対向するように配置された上部表示板１２４と、二つの表示板の間に介在する液晶層を含む。
このような液晶パネル１２３は全体的に短辺と長辺からなる長方形形状を有して画像情報を表示する役割をする。ゲート配線は液晶パネル１２３の短辺と実質的に平行である方向に延長されており、データ配線は液晶パネル１２３の長辺と実質的に平行である方向に延長されている。
【００１９】
例えば、ゲート配線は、液晶パネル１２３の短辺と完全に平行であるように延長されていてもよく、液晶パネル１２３の短辺の延長方向に沿って延長され、ジグザグ形態で延長されてもよいが、これに限定されるものではない。また、データ配線は液晶パネル１２３の長辺と完全に平行であるように延長されていてもよく、液晶パネル１２３の長辺の延長方向に沿って延長され、ジグザグ形態で延長されてもよいが、これに限定されるものではない。視聴者が液晶表示装置１００を見る時、液晶パネル１２３の短辺は視聴方向の左右に位置して液晶パネル１２３の長辺は視聴方向の上下に位置する。ただし、本発明はこれに限定されず、その逆の場合を含み得る。
【００２０】
チップフィルムパッケージ１２６はデータ駆動部であって、液晶パネル１２３の左側短辺に配置されて下部表示板１２２に形成された各データ配線と接続してデータ駆動信号を提供する。チップフィルムパッケージ１２６は液晶パネル１２３上のデータ配線との円滑な接続のために液晶パネル１２３の左側短辺の中央部分に配置するのが好ましい。
チップフィルムパッケージ１２６は半導体チップが回路フィルム上に形成された配線パターンとタブ（ＴＡＢ、Ｔａｐｅ  Ａｕｔｏｍａｔｅｄ  Ｂｏｎｄｉｎｇ）技術によって接合されたタブテープ（ＴＡＢ  ｔａｐｅ）を含む。例えば、このようなチップフィルムパッケージとしては、テープキャリアパッケージ（Ｔａｐｅ  Ｃａｒｒｉｅｒ  Ｐａｃｋａｇｅ、以下ＴＣＰ）又はチップオンフィルム（Ｃｈｉｐ  Ｏｎ  Ｆｉｌｍ、以下ＣＯＦ）などが使用され得る。ただし上述したチップフィルムパッケージは例示的なものに他ならない。
【００２１】
また、ゲート駆動部は、下部表示板１２２に形成された各ゲート配線と接続されてゲート駆動信号を提供するが、下部表示板１２２上に集積回路（ｉｎｔｅｇｒａｔｅｄ  ｃｉｒｃｕｉｔ）形態で形成されてもよい。例えばゲート駆動部は下部表示板１２２上面の上側または下側の長辺に沿って形成されてもよい。ゲート駆動部は、薄膜トランジスタアレイを製造する工程で共に形成され得る。ただし、本発明はこれに限定されず、ゲート駆動部はチップフィルムパッケージ１２６と同様の形態で形成されてもよい。
【００２２】
一方、第１印刷回路基板１２８にはゲート駆動部に入力されるゲート駆動信号と、チップフィルムパッケージ１２６に入力されるデータ駆動信号を処理する様々な駆動部品（図示せず）が実装される。すなわち、第１印刷回路基板１２８は液晶パネル１２３に接続して画像情報を提供する。チップフィルムパッケージ１２６は液晶パネル１２３のデータ配線と接続するために液晶パネル１２３の短辺と隣接して配置されるが、チップフィルムパッケージ１２６と接続する第１印刷回路基板１２８はチップフィルムパッケージ１２６とは異なって液晶パネル１２３の長辺と隣接するように配置される。
【００２３】
このように第１印刷回路基板１２８が液晶表示装置１００の下部に配置されることによって全体的に液晶表示装置１００の外観上左右対称の構造を有するようになってデザインの品質を高めることができる。液晶表示装置１００の厚さを最小化するためには第１印刷回路基板１２８は液晶パネル１２３と同一の平面に配置されてもよい。第１印刷回路基板１２８は外部制御装置（図示せず）とインターフェースフィルム（図示せず）を通じて接続されてイメージ画像をディスプレイするための多様な信号の印加を受ける。
【００２４】
図２を参照すると、チップフィルムパッケージ１２６の一側は異方性導電フィルム（ａｎｉｓｏｔｒｏｐｉｃ  ｃｏｎｄｕｃｔｉｖｅ  ｆｉｌｍ、図示せず）を通じて液晶パネル１２３と接続され、チップフィルムパッケージ１２６の他側は第１コネクタ１８２を通じて第１印刷回路基板１２８と接続される。第１コネクタ１８２は第１印刷回路基板１２８の背面に形成される。チップフィルムパッケージ１２６は軟質フィルムからなり、液晶パネル１２３の短辺に沿って折り曲げられた後、液晶パネル１２３の下部に沿って横方向に延長され、その後１回折り曲げられて第１印刷回路基板１２８に向かって延長される。  つまり、図４に示すように、チップフィルムパッケージ１２６は、導光板１５０の背面上を横方向（長辺と平行な方向）に延長され、その後折り曲げられて第１印刷回路基板１２８に向かって縦方向（短辺と平行な方向）に延長される。
【００２５】
第１コネクタ１８２の接続端子は液晶パネル１２３に向かうように配置されチップフィルムパッケージ１２６と円滑に接続される。このような第１コネクタ１８２の配置方向を採用することによって、第１コネクタ１８２の幅に関わらず第１印刷回路基板１２８の幅を減らすことができるため、液晶表示装置１００の全体的なサイズを減らすことができる。本発明の変形例として図３に示すように、チップフィルムパッケージ１２６’は折れ曲がる部分なしで全体的に「Ｌ字」形状で形成することもできる。
【００２６】
再度、図１を参照すると、バックライトアセンブリ１９０は、モールドフレーム１３０、光学シート１４０、導光板１５０、反射シート１６０、光源１７７、及び下部収納容器１７０などを含む。
【００２７】
ここで、導光板１５０は光源１７７から液晶パネル１２３に供給される光を案内する役割をする。導光板１５０は光を効率的にガイドするためプラスチック系の透明な物質からなるプレート（ｐｌａｔｅ）形状でなされている。例えば導光板１５０としてはＰＭＭＡ（ＰｏｌｙＭｅｔｈｙｌ  ＭｅｔｈＡｃｒｙｌａｔｅ）などのようなアクリル樹脂、又はポリカーボネート（ＰｏｌｙＣａｒｂｏｎａｔｅ）などが使用され得る。導光板１５０の一側面に入射された光が導光板１５０の臨界角以上の角度で導光板１５０の上面又は下面に到着すれば導光板１５０の外部に出射されず、導光板１５０表面から全反射されて導光板１５０内部全体に伝達される。
【００２８】
一方、導光板１５０の上面及び下面のうち少なくとも一面には導光板１５０内部の光が導光板１５０の上部に安着される液晶パネル１２３に出射できるように拡散パターン（図示せず）が形成される。好ましくは導光板１５０の下面に拡散パターンが形成され得る。
すなわち、導光板１５０内部で移動していた光は拡散パターンに反射されて導光板１５０の上面を通じて外部に出射される。導光板１５０の上面から出射される光の輝度を一定に維持するために導光板１５０の一面に形成された拡散パターンは光源１７７からの距離によってサイズと密度が異なるように形成され得る。例えば、光源１７７から遠くなるほど拡散パターンの密度を高くしたり拡散パターンのサイズを大きくしたりすることにより全面から出射される光の輝度を一定に維持させることができる。このような拡散パターンはインクをシルクスクリーン印刷して形成され得るが、本発明はこれに限定されず、導光板１５０に微細な溝や突起を形成して実質的に同一の作用効果を有する拡散パターンを形成することができる。
【００２９】
導光板１５０の一側には光源１７７が配置される。本実施形態では光源１７７が導光板１５０の側部に、すなわちチップフィルムパッケージ１２６とは反対側に該当する液晶表示装置１００の短辺に沿って配置された場合を例えて説明する。
このような配置構造では、表示画面の全体に均一に光が伝達されるようにするため導光板１５０は厚さが実質的に均一のフラット（ｆｌａｔ）型構造を有することができる。ただし、本発明はこれに限定されず、多様な形状の導光板を適用することができる。光源１７７は回路パターンが形成された第２印刷回路基板１７６、第２印刷回路基板１７６上に実装された点光源素子１７８、及び第２印刷回路基板１７６と第１印刷回路基板１２８とを接続する第２回路フィルム１７９を含む。ここで、第２印刷回路基板１７６はフレキシブル回路基板であり得る。
【００３０】
点光源素子１７８は、光を直接放射する発光素子を含む。例えば、点光源素子１７８としては発光ダイオード（Ｌｉｇｈｔ  Ｅｍｉｔｔｅｄ  Ｄｉｏｄｅ、ＬＥＤ）、白熱電球、白色ハロゲンランプなどが使用され得る。色再現性が優秀で消費電力の低い発光ダイオード（ＬＥＤ）が使用されるのが好ましい。点光源素子１７８はフレーム（図示せず）及びフレーム内部に実装された赤、緑、青の発光チップからなり、これらそれぞれの発光チップから放射される赤色光、緑色光及び青色光が混合されて白色光が作られる。
【００３１】
第２印刷回路基板１７６は、下部収納容器１７０の内側側壁と導光板１５０との間に配置され点光源素子１７８が実装される。第２回路フィルム１７９の第１端部は第２印刷回路基板１７６と接続され、第２回路フィルム１７９の第２端部は下部収納容器１７０の底面に形成された開口部（図示せず）を通じて下部収納容器１７０の背面上に延長され第１印刷回路基板１２８と接続される。第２印刷回路基板１７６は第２回路フィルム１７９を通じて第１印刷回路基板１２８の背面に形成された第２コネクタ１８４と接続するが、第２コネクタ１８４の接続端子は第１コネクタ１８２の接続端子と同様に液晶パネル１２３に向かうように配置される。
【００３２】
すなわち、第２回路フィルム１７９は液晶パネル１２３の短辺と実質的に平行である方向に延長され第２コネクタ１８４と結合される。第２印刷回路基板１７６及び第２回路フィルム１７９とチップフィルムパッケージ１２６が互いに重複する場合、信号干渉が生じる恐れがあるため、これらは互いに重畳しないように配置するのが好ましい。したがって、本実施形態ではチップフィルムパッケージ１２６は液晶パネル１２３の左側短辺に、光源１７７は液晶パネル１２３の右側短辺に配置されている。ただし、本発明はこれに限定されず、チップフィルムパッケージ１２６と光源１７７が液晶パネル１２３の同一の短辺に配置されるとしても第２印刷回路基板１７６及び第２回路フィルム１７９がチップフィルムパッケージ１２６と重畳されない場合にも適用され得る。
【００３３】
光学シート１４０は、導光板１５０の上部面に設置されて導光板１５０から伝達される光を拡散して集光する役割をする。光学シート１４０は拡散シート、プリズムシート、保護シートなどを含む。導光板１５０とプリズムシートとの間に位置した拡散シートは導光板１５０から入射する光を分散させることによって光が部分的に密集することを防止する。プリズムシートは上部面に三角柱形状のプリズムが一定の配列を有して形成されており、通常２枚のシートで構成されてそれぞれのプリズム配列が互いに所定の角度で交錯するように配置され、拡散シートから拡散された光を液晶パネル１２３に垂直な方向に集光する役割を果たす。これによって、プリズムシートを通過する光はほぼ大部分垂直に進み、保護シート上の輝度分布が均一に得られる。プリズムシートの上に形成される保護シートはプリズムシートの表面を保護する役割を果たすだけではなく、光の分布を均一にするために光を拡散させる役割を果たす。
このような光学シート１４０の構成は上述した例に限定されず、液晶表示装置１００の仕様に応じて多様に変更することができる。
【００３４】
反射シート１６０は、導光板１５０の下部に設置されて導光板１５０の下部から出射される光を上部に反射する。反射シート１６０は導光板１５０の一面に形成された拡散パターンによって反射されない光を再び導光板１５０の出射面側に反射させることによって、液晶パネル１２３に入射する光の損失を減らすと共に導光板１５０の出射面に透過する光の均一度を向上させる役割を果たす。
例えば反射シート１６０はポリエチレンテレフタレート（ＰｏｌｙＥｔｈｙｌｅｎｅ  Ｔｅｒｅｐｈｔｈａｌａｔｅ、ＰＥＴ）などで成され得、反射シート１６０の一面は例えば、二酸化チタンなどを含有する拡散層でコーティングされ得る。酸化チタンが乾燥されて定着するとき、酸化チタンは霜形状の白色表面を形成して光をより均一に拡散させることができるのみならず、所定の反射効果を提供する。
【００３５】
モールドフレーム１３０は、四角フレーム形状で形成されており、光学シート１４０上部の縁に配置される。モールドフレーム１３０は下部収納容器１７０と結合して光学シート１４０、導光板１５０、反射シート１６０、及び光源１７７を内部に収納する。モールドフレーム１３０と下部収納容器１７０はフック結合又はねじ結合などの多様な方法で結合され得る。
液晶パネル１２３はモールドフレーム１３０上に配置され、上部収納容器１１０は液晶パネル１２３の上部の縁を覆い下部収納容器１７０又はモールドフレーム１３０と結合される。
【００３６】
次に、図５〜図７を参照して図４に示す液晶パネルについて詳しく説明する。
図５は、図４に示す液晶パネルの概略的な平面図であり、図６は、図５に示す液晶パネルを構成するピクセルアレイの配置図であり、図７は、図６に示すピクセルアレイの等価回路図である。
【００３７】
図５〜図７を参照すると、本発明の一実施形態による液晶パネルはゲート配線（Ｇｎ〜Ｇｎ＋３）、データ配線（Ｄｍ〜Ｄｍ＋３）、ピクセル電極１１、ストレージ電極１２、薄膜トランジスタ１３、チップフィルムパッケージ１２６（すなわち、データ駆動部）及びゲート駆動部１２７を含む。
【００３８】
このような構造は、データ配線（Ｄｍ〜Ｄｍ＋３）が液晶パネル１２３の長辺と実質的に平行である方向に延長され横方向に延びた横配線で形成されることにより、データ配線を縦配線として使用する従来のピクセル設計方式に比べてデータ駆動部１２６のチャネル数を２／３に減らすことができ、ゲート駆動部１２７を薄膜トランジスタアレイの製造工程と共に絶縁基板上に集積回路形態で形成することによってゲートドライバＩＣを使用しなくてもよい。
ゲート駆動部１２７は、ＡＳＧ（Ａｍｏｒｐｈｏｕｓ  Ｓｉｌｉｃｏｎ  Ｇａｔｅ）形態で形成され得る。ゲート駆動部１２７に入力された制御信号はチップフィルムパッケージ１２６を通じて第１印刷回路基板１２８から液晶パネル１２３の短辺に伝達され、以後液晶パネル１２３の端部に沿って形成された配線パターンを通じて液晶パネル１２３の短辺から液晶パネル１２３の長辺に形成されたゲート駆動部１２７に伝達される。
【００３９】
図６及び図７を参照すると、一つの横ピクセル列１６に二つのデータ配線（Ｄｍ、Ｄｍ＋１）が形成されて一つの縦ピクセル列１７に一つのゲート配線（Ｇｎ）が形成される。
ゲート配線（Ｇｎ〜Ｇｎ＋３）は２個ずつ電気的に接続され、薄膜トランジスタ１３はジグザグで配列されて対応するデータ配線（Ｄｍ〜Ｄｍ＋３）及びゲート配線（Ｇｎ〜Ｇｎ＋３）と接続される。
一つの横ピクセル列１６内に隣接する一対のピクセルに対してゲート信号が同時に印加されるため、十分なピクセル充電時間を確保することができる。液晶パネルはマトリックス形態で配置された複数のピクセルから成るピクセルアレイを含み、各ピクセルは液晶パネルの長辺と平行な水平方向より液晶パネルの短辺と平行な縦方向のほうが長い構造で形成されている。ピクセルアレイは縦ピクセル列ごとに同一の色相を表示し、横ピクセル列に対しては赤（Ｒ）、緑（Ｇ）、及び青（Ｂ）を交互に表示する構造を有する。
【００４０】
一方、ゲート配線（Ｇｎ〜Ｇｎ＋３）にゲート信号を印加することにより周辺電場のわい曲により発生するテクスチャ（ｔｅｘｔｕｒｅ）を抑制するためにストレージ電極１２がゲート配線（Ｇｎ〜Ｇｎ＋３）と隣接して形成される。
【００４１】
本実施形態では一つの横ピクセル列１６に二つのデータ配線（Ｄｍ、Ｄｍ＋１）が形成されて、一つの縦ピクセル列１７に一つのゲート配線（Ｇｎ）が形成された場合を例にあげて説明したが、本発明はこれに限定されない。すなわち、一つの横ピクセル列１６に一つのデータ配線が形成され、一つの縦ピクセル列１７に一つのゲート配線が形成されてもよい。この場合、前述の実施形態と比較して、データ配線の数、すなわちデータ駆動部１２６のチャネル数が１／２に減って製造原価を下げ、開口率（ａｐｅｒｔｕｒｅ）を増加させることができる。
【００４２】
次に、図８及び図９を参照して図１に示す第１印刷回路基板とチップフィルムパッケージの結合関係を詳しく説明する。
図８は、図１に示す第１印刷回路基板とチップフィルムパッケージの結合関係を示す斜視図であり、図９は、図８に示すチップフィルムパッケージの斜視図である。
【００４３】
図８及び図９を参照すると、第１コネクタ１８２は絶縁体からなるハウジング（ｈｏｕｓｉｎｇ）２１０と、ハウジング２１０の一側に形成された複数のリード線２３０と、ハウジング２１０の他側に形成されたスロット（ｓｌｏｔ）２１４を含む。
ハウジング２１０の一側には外部に所定の長さほど延長された複数のリード線２３０がコンパクトに配列されている。複数のリード線２３０それぞれは、第１印刷回路基板１２８上に形成された回路パターンとソルダリング（ｓｏｌｄｅｒｉｎｇ）などによって電気的に接続される。
【００４４】
また、ハウジング２１０の他側にはチップフィルムパッケージ１２６のケーブルホルダ（ｃａｂｌｅ  ｈｏｌｄｅｒ）２５２が挿入されるスロット２１４が形成される。ここで、スロット２１４の内部には複数のピン２４０が配列されている。複数のリード線２３０と複数のピン２４０は互いに対応するもの同士で一つずつ接続されている。
第１コネクタ１８２とケーブルホルダ２５２はフック（ｈｏｏｋ）結合をするが、これのためにハウジング２１０にはフックホール（ｈｏｏｋ  ｈｏｌｅ）２１２が形成されている。
【００４５】
チップフィルムパッケージ１２６は互いに絶縁して分離された複数の配線で構成されている。チップフィルムパッケージ１２６の一端には絶縁体からなるケーブルホルダ２５２が形成され、ケーブルホルダ２５２は前述したようにスロット２１４に挿入される。ケーブルホルダ２５２でチップフィルムパッケージ１２６と接続されていない側面には複数のピンホール（ｐｉｎ  ｈｏｌｅ）２５６が配列されている。複数のピンホール２５６と複数の配線は互いに対応するもの同士で一つずつ接続されている。
【００４６】
ケーブルホルダ２５２がスロット２１４に挿入されてハウジング２１０とフック結合をするため、ハウジング２１０のフックホール２１２に対応するケーブルホルダ２５２の一面にはフック２５４が形成される。フック２５４とフックホール２１２の配置は変更することができる。また、本発明による一実施形態ではケーブルホルダ２５２とハウジング２１０がフック結合をするものと説明したが、本発明はこれに限定されず、多様な形態の結合手段を適用することができる。
【００４７】
本実施形態では第１印刷回路基板１２８とチップフィルムパッケージ１２６が第１コネクタ１８２を通じて接続される場合を例にあげて説明したが、本発明はこれに限定されず、異方性導電フィルム（ａｎｉｓｏｔｒｏｐｉｃ  ｃｏｎｄｕｃｔｉｖｅ  ｆｉｌｍ）などを利用した熱圧着方法により接続されてもよい。
【００４８】
また、光源１７７の第２印刷回路基板１７６に電気的に接続された第２回路フィルム１７９もチップフィルムパッケージ１２６のコネクタ接続と実質的に同一の方法で第２コネクタ１８４を通じて第１印刷回路基板１２８と電気的に接続され得る。ただし、本発明はこれに限定されず、光源１７７の第２印刷回路基板１７６又は第２回路フィルム１７９は異方性導電フィルムなどを利用した熱圧着方法により第１印刷回路基板１２８と電気的に接続することができる。
【００４９】
以下、図１０を参照して図１に示すチップフィルムパッケージと液晶パネルの結合関係を詳しく説明する。
図１０は、図１に示すチップフィルムパッケージと液晶パネルとの結合関係を示す斜視図である。
【００５０】
図１０を参照すると、液晶パネル１２３の下部表示板１２２上にデータ配線１０が形成されており、データ配線１０の終端にはデータパッド１２が形成されている。チップフィルムパッケージ１２６はフレキシブル回路フィルム３０と、フレキシブル回路フィルム３０上に形成された配線パターン３２と、配線パターン３２の終端に形成された配線パッド３４を含む。
【００５１】
データパッド１２上に異方性導電フィルム２０を付着して、その上にチップフィルムパッケージ１２６を配置してデータパッド１２と配線パッド３４を整合（ａｌｉｇｎ）させた後、チップフィルムパッケージ１２６を熱圧着方法で液晶パネル１２３の下部表示板１２２に付着する。異方性導電フィルム２０は樹脂フィルムと樹脂フィルム間に分散された導電性粒子からなり、熱圧着によってデータパッド１２と配線パッド３４との間には導電性粒子が介在して互いに通電し、これらパッド以外の領域では樹脂フィルムによって接合される。
【００５２】
次に、図１１を参照して本発明の第２の実施形態による液晶表示装置を説明する。
ここで、図７は本発明の第２の実施形態による液晶表示装置の正面図である。
説明の便宜上、第１の実施形態の図面に示す各部材と同一の機能を有する部材は同一の符号で示し、したがって、その説明は省略し、以下では差異点を中心に説明する。
【００５３】
図１１に示す液晶表示装置１０１の場合、データ駆動部としてのＣＯＧ（Ｃｈｉｐ  Ｏｎ  Ｇｌａｓｓ）チップ１２６ｂが液晶パネル１２３上に実装されてＣＯＧチップ１２６ｂと第１印刷回路基板１２８は液晶パネル１２３の左側短辺に位置する第１回路フィルム１２６ａにより電気的に接続される。すなわち、光源は第１回路フィルム１２６ａが接続された液晶パネル１２３の短辺と、対向する短辺に沿って配置され得る。本実施形態ではＣＯＧチップ１２６ｂが一つで構成されている場合を例にあげて説明しているが、本発明はＣＯＧチップ１２６ｂの個数に限定されず、複数個で構成することもできる。
【００５４】
以下に示す、本発明の実施形態では説明の便宜のため、データ駆動部としてチップフィルムパッケージ１２６を用いて説明しているが、チップフィルムパッケージ１２６の代わりにＣＯＧチップ１２６ｂと第１回路フィルム１２６ａを適用できるのは自明な事実である。
【００５５】
次に、図１２及び図１３を参照して本発明の第３の実施形態による液晶表示装置を説明する。
ここで、図１２は、本発明の第３の実施形態による液晶表示装置の正面図であり、図１３は、図１２に示す液晶表示装置の背面図である。
説明の便宜上、第１の実施形態の図面に示す各部材と同一の機能を有する部材は同一の符号で示し、したがって、その説明は省略し、以下、差異点を中心に説明する。
【００５６】
光源を構成する点光源素子１７８及び第２印刷回路基板１７６が液晶パネル１２３の下側の長辺に沿って導光板の側部に配置される。具体的には、点光源素子１７８は液晶表示装置１０２の下側に配置され得る。第２回路フィルム１７９は下部収納容器１７０の底面に形成された開口部を通じて下部収納容器１７０の背面上に延長され第１印刷回路基板１２８と接続する。第２回路フィルム１７９は第１印刷回路基板１２８の背面に形成された第２コネクタ１８４と接続するが、第２コネクタ１８４の接続端子は第１コネクタ１８２の接続端子と同様に液晶パネル１２３に向かうように配置され得る。
【００５７】
すなわち、第２回路フィルム１７９は液晶パネル１２３の短辺と実質的に平行である方向に延長され、第２コネクタ１８４に結合される。第２印刷回路基板１７６及び第２回路フィルム１７９とチップフィルムパッケージ１２６は互いに重畳する場合、信号干渉が生じる恐れがあるため、これらは互いに重畳しないように配置するのが好ましい。例えば、チップフィルムパッケージ１２６が第１印刷回路基板１２８の一側と接続すると、第２印刷回路基板１７６及び第２回路フィルム１７９は第１印刷回路基板１２８の他側と接続することができる。
【００５８】
以下、図１４及び図１５を参照して本発明の第４の実施形態による液晶表示装置を説明する。
ここで、図１４は、本発明の第４の実施形態による液晶表示装置の正面図であり、図１５は、図１４に示す液晶表示装置の背面図である。
説明の便宜上、第１の実施形態の図面に示す各部材と同一の機能を有する部材は同一の符号で示し、したがって、その説明は省略し、以下、差異点を中心に説明する。
【００５９】
光源を構成する点光源素子１７８及び第２印刷回路基板１７６が液晶パネル１２３の上側の長辺に沿って導光板の側部に配置される。具体的には点光源素子１７８は液晶表示装置１０３の上側に配置される。第２回路フィルム１７９は下部収納容器１７０の底面に形成された開口部を通じて下部収納容器１７０の背面上に出た後、下部収納容器１７０の背面を縦方向に横切って第１印刷回路基板１２８と接続する。第２回路フィルム１７９は第１印刷回路基板１２８の背面に形成された第２コネクタ１８４と接続するが、第２コネクタ１８４の接続端子は第１コネクタ１８２の接続端子と同様に液晶パネル１２３に向かうように配置される。
【００６０】
すなわち、第２回路フィルム１７９は液晶パネル１２３の短辺と実質的に平行である方向に延長され、第２コネクタ１８４に結合される。第２印刷回路基板１７６及び第２回路フィルム１７９とチップフィルムパッケージ１２６は互いに重複する場合、信号干渉が生じる恐れがあるため、これらは互いに重畳しないように配置するのが好ましい。例えばチップフィルムパッケージ１２６が第１印刷回路基板１２８の一側と接続すると、第２印刷回路基板１７６及び第２回路フィルム１７９は第１印刷回路基板１２８の他側と接続することができる。
【００６１】
次に、図１６及び図１７を参照して本発明の第５の実施形態による液晶表示装置を説明する。
ここで、図１６は、本発明の第５の実施形態による液晶表示装置の正面図であり、図１７は、図１６に示す液晶表示装置の背面図である。
説明の便宜上、第１の実施形態の図面に示す各部材と同一の機能を有する部材は同一の符号で示し、したがって、その説明は省略し、以下、差異点を中心に説明する。
【００６２】
本実施形態による液晶表示装置１０４の場合、チップフィルムパッケージ１２６及び第２回路フィルム１７９が液晶パネル１２３の短辺の下方部と接続する。したがって、第２回路フィルム１７９と液晶パネル１２３の接続部から第１印刷回路基板１２８までの距離が減少し、第２回路フィルム１７９の長さを短縮させることによって費用の節減効果が得られる。
【００６３】
次に、図１８及び図１９を参照して本発明の第６の実施形態による液晶表示装置を説明する。
ここで、図１８は、本発明の第６の実施形態による液晶表示装置の正面図であり、図１９は、図１８に示す液晶表示装置の背面図である。
説明の便宜上、第１の実施形態の図面に示す各部材と同一の機能を有する部材は同一の符号で示し、したがって、その説明は省略し、以下、差異点を中心に説明する。
【００６４】
本実施形態による液晶表示装置１０５によれば、データ駆動部としてＣＯＧチップ１２６ｂと第１回路フィルム１２６ａが使用され、第１回路フィルム１２６ａの一端は液晶パネル１２３の正面下部に接続され、第１回路フィルム１２６ａの他端は第１印刷回路基板１２８の正面に接続される。第１回路フィルム１２６ａは、第１印刷回路基板１２８とコネクタ又は異方性導電フィルムなどを利用して接続され得る。このように第１回路フィルム１２６ａが液晶パネル１２３の下部に配置されることによって第１回路フィルム１２６ａの長さを短縮させて、費用の節減効果が得られる。本実施形態でデータ駆動部としてＴＣＰ又はＣＯＦなどのチップフィルムパッケージが使用されてもよい。
【００６５】
光源１７７の第２印刷回路基板１７６は下部収納容器１７０の底面に形成された開口部を通じて出て、第１印刷回路基板１２８の背面と接続される。
【００６６】
次に、図２０を参照して本発明の第７の実施形態による表示装置セットを説明する。
図２０は、本発明の第７の実施形態による表示装置セットの分解斜視図である。
説明の便宜のため、本実施形態では図１に示す液晶表示装置が適用された場合を例にあげて説明しているが、本発明はこれに限定されず、前述したすべての液晶表示装置も適用され得る。
【００６７】
図２０を参照すると、本発明の第７の実施形態による表示装置セット２０００は、液晶表示装置１００と、液晶表示装置１００の後面に配置されるバックケース２０２０と、液晶表示装置１００の前面に配置されバックケース２０２０と結合するフロントケース２０１０を含む。フロントケース２０１０には液晶表示装置１００の有効表示領域を露出させる開放窓が形成されている。
【００６８】
表示装置セット２０００の厚さを最小化するために第１印刷回路基板１２８は液晶パネル１２３と同一の平面上に配置されるため、フロントケース２０１０とバックケース２０２０には各々その下部に第１印刷回路基板１２８を収容するための別途の基板収納部（２０１２、２０２２）が形成されている。
【００６９】
以上、説明した本発明による各実施形態では一定の厚さを有するフラット（ｆｌａｔ）タイプの導光板の一側部に光源を具備する場合を一つの一例として説明したが、本発明はこれに限定されず、光源は導光板の両側部に配置され得、光源に隣接した部分が相対的に厚いくさび（ｗｅｄｇｅ）タイプの導光板が使用されてもよい。
【００７０】
尚、本発明は、上述の実施形態に限られるものではない。本発明の技術的範囲から逸脱しない範囲内で多様に変更実施することが可能である。
【産業上の利用可能性】
【００７１】
本発明に係る液晶表示装置は、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、携帯用ＤＶＤ（Ｄｉｇｉｔａｌ  Ｖｅｒｓａｔｉｌｅ  Ｄｉｓｋ）プレーヤ、携帯電話（ｃｅｌｌｕｌａｒ  ｐｈｏｎｅ）などに好適に使用される。
【符号の説明】
【００７２】
１００、１０１、１０２、１０３、１０４、１０５    液晶表示装置
１１０    上部収納容器
１２０    液晶パネルアセンブリ
１２２    下部表示板
１２３    液晶パネル
１２４    上部表示板
１２６、１２６’    チップフィルムパッケージ
１２７    ゲート駆動部
１２８    第１印刷回路基板
１３０    モールドフレーム
１４０    光学シート
１５０    導光板
１６０    反射シート
１７０    下部収納容器
１７６    第２印刷回路基板
１７７    光源
１７８    点光源素子
１７９    第２回路フィルム
１８２    第１コネクタ
１８４    第２コネクタ
１９０    バックライトアセンブリ
２０００    表示装置セット
２０１０    フロントケース
２０１２、２０２２    基板収納部
２０２０    バックケース
【図１】
2010191432.tif 000003
【図２】
2010191432.tif 000004
【図３】
2010191432.tif 000005
【図４】
2010191432.tif 000006
【図５】
2010191432.tif 000007
【図６】
2010191432.tif 000008
【図７】
2010191432.tif 000009
【図８】
2010191432.tif 000010
【図９】
2010191432.tif 000011
【図１０】
2010191432.tif 000012
【図１１】
2010191432.tif 000013
【図１２】
2010191432.tif 000014
【図１３】
2010191432.tif 000015
【図１４】
2010191432.tif 000016
【図１５】
2010191432.tif 000017
【図１６】
2010191432.tif 000018
【図１７】
2010191432.tif 000019
【図１８】
2010191432.tif 000020
【図１９】
2010191432.tif 000021
【図２０】
2010191432.tif 000022